(57)【特許請求の範囲】
【請求項１】
供給される被搬送物を、分配器を配設したシュートによって、所定量ずつ複数箇所に分配して供給するようにしたシュートによる被搬送物の分配システムにおいて、シュートにオーバーフロー堰を備えた貯留式分配器を配設し、該貯留式分配器に接続された一方のシュートに被搬送物の排出量計量手段を配設するとともに、貯留式分配器のオーバーフロー堰を越流する被搬送物の流路を他方のシュートに接続し、貯留式分配器の上流側に等分配機能を備えた切替ダンパを配設し、切替ダンパの一方の流路を貯留式分配器に接続し、他方の流路を他方のシュートに接続したことを特徴とするシュートによる被搬送物の分配システム。
【発明の詳細な説明】
【技術分野】
【０００１】
本発明は、供給される被搬送物を、分配器を配設したシュートによって、所定量ずつ複数箇所に分配して供給するようにしたシュートによる被搬送物の分配システムに関するものである。
【背景技術】
【０００２】
従来、アンローダにおいては、供給される被搬送物を、分配器を配設したシュートによって、所定量ずつ複数箇所に分配して供給するようにしたシュートによる被搬送物の分配システムが用いられている（例えば、特許文献１参照。）。
【０００３】
具体的には、図４に示すように、アンローダ１０は、主に船倉内にある被搬送物である穀物を掻き取る取込手段２０と、穀物を船倉から陸上に搬送する搬送コンベア１２と、穀物を陸上に陸揚げするシュート４０とによって構成されている。
【０００４】
取込手段２０が掻き取った穀物を船倉外に搬送する搬送コンベア１２には、例えば、コンベアベルトの表面に所定のピッチで複数のひれ１４を配置した、ひれ付きコンベアが用いられる。
【０００５】
搬送コンベア１２の倉外側の端部は、シュート４０に接続され、搬送コンベア１２によって搬送された穀物は、シュート４０の内部を落下し、シュート４０から排出された穀物は、水平コンベア４８、４９によって後工程に搬送される。
【０００６】
ここで、複数の後工程に穀物を供給する場合には、シュートの途中に分岐部４６を設け、分岐後のシュートから排出された穀物は、水平コンベア４８、４９によって後工程に搬送されるようにする。
この場合、分岐後のシュートにそれぞれロータリフィーダ等の排出量計量手段４７を設けるようにしたり、分岐部４６に等分配機能を備えた切替ダンパ（図示省略）を設けることによって、穀物を所定量ずつ複数箇所に分配して供給することができるようにしている。
【０００７】
なお、排出量計量手段４７の上方に、穀物を一時貯留するタンク５０を設ける。また、タンク５０における所定の位置に、複数のセンサ５１、５２、５３を設け、穀物が堆積したことを検知して検知信号を出力するようにしている。
【先行技術文献】
【特許文献】
【０００８】
【特許文献１】特開２００４−１０７０５２号公報
【発明の概要】
【発明が解決しようとする課題】
【０００９】
ところで、従来のアンローダにおいて用いられているシュートによる被搬送物の分配システムにおいては、（１）分岐後のシュートにそれぞれ排出量計量手段４７を設けるようにしたり、（２）分岐部４６に等分配機能を備えた切替ダンパを設けるようにすることによって、穀物を所定量ずつ複数箇所に分配して供給することができるようにしているが、（１）の場合は、設置する排出量計量手段４７の個数が分岐後のシュートの数だけ必要となり、システムの構築費用が上昇するという問題が、また、（２）の場合は、切替ダンパによって等分配しかできないため、穀物の供給量に制約がかかるという問題があった。
【００１０】
本発明は、上記従来のアンローダにおいて用いられているシュートによる被搬送物の分配システムの有する問題点に鑑み、設置する排出量計量手段の個数を少なくしてシステムの構築費用を低廉にできるとともに、被搬送物の供給量を自由に設定することができるシュートによる被搬送物の分配システムを提供することを目的とする。
【課題を解決するための手段】
【００１１】
上記目的を達成するため、本発明のシュートによる被搬送物の分配システムは、供給される被搬送物を、分配器を配設したシュートによって、所定量ずつ複数箇所に分配して供給するようにしたシュートによる被搬送物の分配システムにおいて、シュートにオーバーフロー堰を備えた貯留式分配器を配設し、該貯留式分配器に接続された一方のシュートに被搬送物の排出量計量手段を配設するとともに、貯留式分配器のオーバーフロー堰を越流する被搬送物の流路を他方のシュートに接続したことを特徴とする。
【００１２】
この場合において、前記貯留式分配器の上流側に等分配機能を備えた切替ダンパを配設し、切替ダンパの一方の流路を貯留式分配器に接続し、他方の流路を他方のシュートに接続することができる。
【発明の効果】
【００１３】
本発明のシュートによる被搬送物の分配システムによれば、シュートにオーバーフロー堰を備えた貯留式分配器を配設し、該貯留式分配器に接続された一方のシュートに被搬送物の排出量計量手段を配設するとともに、貯留式分配器のオーバーフロー堰を越流する被搬送物の流路を他方のシュートに接続することにより、設置する排出量計量手段の個数を分岐後のシュートの数より少なくしてシステムの構築費用を低廉にできるとともに、被搬送物の供給量を自由に設定することができる。
【００１４】
また、前記貯留式分配器の上流側に等分配機能を備えた切替ダンパを配設し、切替ダンパの一方の流路を貯留式分配器に接続し、他方の流路を他方のシュートに接続することにより、被搬送物の供給量をより自由に設定することができる。
【図面の簡単な説明】
【００１５】
【図１】本発明のシュートによる被搬送物の分配システムの一実施例を示す説明図である。
【図２】貯留式分配器を示し、（ａ）は正面断面図、（ｂ）は側面図、（ｃ）は底面面である。
【図３】切替ダンパを示す正面図である。
【図４】従来のアンローダにおいて用いられているシュートによる被搬送物の分配システムを示す説明図である。
【発明を実施するための形態】
【００１６】
以下、本発明のシュートによる被搬送物の分配システムの実施の形態を、図面に基づいて説明する。
【００１７】
図１〜図３に、本発明のシュートによる被搬送物の分配システムの一実施例を示す。
このシュートによる被搬送物の分配システムは、例えば、アンローダの搬送コンベアから供給される被搬送物を、分配器を配設したシュートによって、所定量ずつ複数箇所に分配して供給するようにするためのもので、シュート１に、より具体的には、シュート１を、シュート１ａとシュート１ｂに分岐させ、その一方のシュート１ａに、オーバーフロー堰２１を備えた貯留式分配器２を配設し、この貯留式分配器２に接続された一方のシュート１ａに被搬送物の排出量計量手段としてのロータリフィーダ３を配設するとともに、貯留式分配器２のオーバーフロー堰２１を越流する被搬送物の流路２２を他方のシュート１ｂに接続するようにしている。
【００１８】
そして、このシュートによる被搬送物の分配システムにおいては、貯留式分配器２の上流側のシュート１ａとシュート１ｂの分岐部に、等分配機能を備えた切替ダンパ４１を配設し、切替ダンパ４１の一方の流路を貯留式分配器２に接続し、他方の流路を他方のシュート１ｂに接続するようにしている。
【００１９】
さらに、他方のシュート１ｂを、シュート１ｂ１とシュート１ｂ２に分岐させ、その分岐部に、等分配機能を備えた切替ダンパ４２を配設するようにしている。
【００２０】
そして、シュート１ａは、トラック出荷口や出荷コンベアの出荷口等となる出荷口Ａに、シュート１ｂ１は、同出荷口Ｂに、シュート１ｂ２は、同出荷口Ｃに、それぞれ接続されるようにしている。
【００２１】
貯留式分配器２は、図２に示すように、実質的にシュート１を分岐したシュート１ａ及びシュート１ｂの流路の一部を構成した一体構造のものとし、その一方のシュート１ａに、オーバーフロー堰２１を備えた貯留式分配器２を配設するようにしている。
この貯留式分配器２は、上流側から供給される被搬送物を、貯留式分配器２の下流側のシュート１ａに配設した被搬送物の排出量計量手段としてのロータリフィーダ３によって堰き止めることにより、一旦貯留するようにする。
そして、上流側から供給される被搬送物の供給量とロータリフィーダ３による被搬送物の排出量との差分の被搬送物が、オーバーフロー堰２１を越流して、流路２２を介して、他方のシュート１ｂに供給するようにしている。
ここで、貯留式分配器２とロータリフィーダ３を接続するシュート１ａには、被搬送物が常に滞留することになるため、両者の設置間隔を短く設定することが好ましい。
【００２２】
被搬送物の排出量計量手段としてのロータリフィーダ３は、インバータ制御によって、貯留式分配器２とロータリフィーダ３を接続するシュート１ａに滞留している被搬送物を所定量ずつ送り出すことができるように構成されている。
【００２３】
切替ダンパ４１、４２は、図３に示すように（図３は、切替ダンパ４２を示すが、基本的な構造は、切替ダンパ４１も同様で、切替ダンパ４１に関連する符号は括弧をして示す。）、ダンパ４２ａをシリンダ４２ｂで、中立位置（等分配機能）を含む３位置で切り替えることができるように構成されている。
これにより、シュート１ｂ（１）から供給される被搬送物を、シュート１ｂ１（１ａ）、シュート１ｂ２（１ｂ）に選択的に供給したり、中立位置では、シュート１ｂ１（１ａ）とシュート１ｂ２（１ｂ）とに１／２ずつ供給することができるようにしている。
【００２４】
上記の構成からなるシュートによる被搬送物の分配システムを使用して、シュート１から被搬送物を供給量４００ｔ／ｈで供給した場合の稼働パターンを、表１に示す。
【００２５】
【表１】
0006418647.tif 000002
【００２６】
このように、このシュートによる被搬送物の分配システムによれば、設置する排出量計量手段としてのロータリフィーダ３の個数を分岐後のシュート１ａ、１ｂ１、１ｂ２の数より少なくしてシステムの構築費用を低廉にできるとともに、被搬送物の供給量を自由に設定することができる。
【００２７】
以上、本発明のシュートによる被搬送物の分配システムについて、その実施例に基づいて説明したが、本発明は上記実施例に記載した構成に限定されるものではなく、その趣旨を逸脱しない範囲において適宜その構成を変更することができるものである。
【００２８】
具体的には、出荷口（数や出荷量）に応じて、シュート（分岐）、貯留式分配器、ロータリフィーダ（排出量計量手段）及び切替ダンパの数や配置形態等を任意に設定することができる。
また、被搬送物は、穀物以外の粒状物や粉体物を対象とすることができる。
また、被搬送物をシュートによって所定量ずつ複数箇所に分配して供給するものであれば、アンローダ以外、例えば、貯留槽に貯留された被搬送物のシュートによる被搬送物の分配システムにも適用することができる。
【産業上の利用可能性】
【００２９】
本発明のシュートによる被搬送物の分配システムは、設置する排出量計量手段の個数を少なくしてシステムの構築費用を低廉にできるとともに、被搬送物の供給量を自由に設定することができることから、アンローダにおけるシュートによる被搬送物の分配システムの用途に好適に用いることができるほか、他のシュートによる被搬送物の分配システムの用途にも広く用いることができる。
【符号の説明】
【００３０】
１、１ａ、１ｂ、１ｂ１、１ｂ２  シュート
２  貯留式分配器
２１  オーバーフロー堰
３  ロータリフィーダ（排出量計量手段）
４１、４２  切替ダンパ
Ａ、Ｂ、Ｃ  出荷口
【図１】
0006418647.tif 000003
【図２】
0006418647.tif 000004
【図３】
0006418647.tif 000005
【図４】
0006418647.tif 000006